【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】  身体部位の一部分の静脈を押圧状態にする静脈閉塞部と、前記静脈閉塞部に対して前記身体部位の一部分の静脈を押圧状態にするための圧力を加減調節する圧力調節部と、前記静脈閉塞部で前記身体部位の一部分の静脈の押圧を開始してからの経過時間を計る計時部と、前記計時部で前記経過時間を計る際に前記身体部位の一部分の静脈と同一循環経路であって心臓から遠くなる静脈に所定周波数の電流を供給すると共に電圧を検出する電極部と、前記電極部で供給する前記所定周波数の電流を生成すると共に前記電極部で検出した前記電圧からインピーダンスに変換するインピーダンス変換部と、前記インピーダンス変換部で変換した前記インピーダンスと前記計時部で計った前記経過時間とに基づいてインピーダンス変化率の経過時間に対する傾きを演算するインピーダンス変化勾配演算手段と、インピーダンス変化率の経過時間に対する傾きと第１の静脈伸展性評価指標との関係データを予め記憶する記憶部と、前記記憶部に予め記憶した前記関係データから前記インピーダンス変化勾配演算手段で演算した前記インピーダンス変化率の経過時間に対する傾きに対応する前記第１の静脈伸展性評価指標を特定する静脈伸展性評価指標判定手段と、前記静脈伸展性評価指標判定手段で特定した前記第１の静脈伸展性評価指標を表示する表示部とを備える静脈伸展性評価指標計測装置。
【請求項２】  前記押圧状態とは、３０mmHg以上９０mmHg以下の一定圧で押え付けた状態であることを特徴とする請求項１記載の静脈伸展性評価指標計測装置。
【請求項３】  前記押圧状態とは、５０mmHgの一定圧で押え付けた状態であることを特徴とする請求項１記載の静脈伸展性評価指標計測装置。
【請求項４】  前記所定周波数が１kHz以上５００kHz以下であることを特徴とする請求項１乃至３のいずれか１項に記載の静脈伸展性評価指標計測装置。
【請求項５】  前記所定周波数が４kHzであることを特徴とする請求項１乃至３のいずれか１項に記載の静脈伸展性評価指標計測装置。
【請求項６】  前記身体部位の一部分の静脈の押圧を開始してからの経過時間が３０秒であることを特徴とする請求項１乃至５のいずれか１項に記載の静脈伸展性評価指標計測装置。
【請求項７】  前記第１の静脈伸展性評価指標が静脈年齢又は静脈硬化度のいずれかであることを特徴とする請求項１乃至６のいずれか１項に記載の静脈伸展性評価指標計測装置。
【請求項８】  前記記憶部は、インピーダンス変化率の経過時間に対する傾きと静脈年齢との関係データとして、インピーダンス変化率の経過時間に対する傾きをＳｉｔ、静脈年齢をＶａ、係数をγ及びδとする相関式Ｖａ＝−γ×Ｓｉｔ＋δを記憶し、前記静脈伸展性評価指標判定手段は、前記記憶部に予め記憶した前記相関式から前記インピーダンス変化勾配演算手段で演算した前記インピーダンス変化率の経過時間に対する傾きに対応する前記静脈年齢を演算することを特徴とする請求項７記載の静脈伸展性評価指標計測装置。
【請求項９】  前記記憶部は、前記第１の静脈伸展性評価指標と第２の静脈伸展性評価指標との関係データを更に予め記憶し、前記静脈伸展性評価指標判定手段は、前記記憶部に更に予め記憶した前記関係データから先に特定した前記第１の静脈伸展性評価指標に対応する前記第２の静脈伸展性評価指標を特定することを特徴とする請求項１乃至６のいずれか１項に記載の静脈伸展性評価指標計測装置。
【請求項１０】  前記第１の静脈伸展性評価指標は、静脈年齢又は静脈硬化度のいずれかであり、前記第２の静脈伸展性評価指標は、前記第１の静脈伸展性評価指標が静脈年齢である場合には静脈硬化度、前記第１の静脈伸展性評価指標が静脈硬化度である場合には静脈年齢であることを特徴とする請求項９記載の静脈伸展性評価指標計測装置。
【請求項１１】  前記記憶部は、インピーダンス変化率の経過時間に対する傾きと静脈年齢との関係データとして、インピーダンス変化率の経過時間に対する傾きをＳｉｔ、静脈年齢をＶａ、係数をγ及びδとする相関式Ｖａ＝−γ×Ｓｉｔ＋δを記憶し、更に静脈年齢と静脈硬化度との関係データとして、静脈年齢が３９歳以下の場合には静脈硬化度が０レベル、静脈年齢が４０歳以上４９歳以下の場合には静脈硬化度が１レベル、静脈年齢が５０歳以上５９歳以下の場合には静脈硬化度が２レベル、静脈年齢が６５歳以上の場合には静脈硬化度が３レベルとする対応データを記憶し、前記静脈伸展性評価指標判定手段は、前記記憶部に予め記憶した前記相関式から前記インピーダンス変化勾配演算手段で演算した前記インピーダンス変化率の経過時間に対する傾きに対応する前記静脈年齢を演算し、更に前記記憶部に予め記憶する前記対応データから先に演算した前記静脈年齢に対応する前記静脈硬化度を特定することを特徴とする請求項１０記載の静脈伸展性評価指標計測装置。
【請求項１２】  身体部位の一部分の静脈を押圧状態から減圧状態にする静脈閉塞部と、前記静脈閉塞部に対して前記身体部位の一部分の静脈を押圧状態から減圧状態にするための圧力を加減調節する圧力調節部と、前記静脈閉塞部で前記身体部位の一部分の静脈の減圧を開始してからの経過時間を計る計時部と、前記計時部で前記経過時間を計る際に前記身体部位の一部分の静脈と同一循環経路であって心臓から遠くなる静脈に所定周波数の電流を供給すると共に電圧を検出する電極部と、前記電極部で供給する前記所定周波数の電流を生成すると共に前記電極部で検出した前記電圧からインピーダンスに変換するインピーダンス変換部と、前記インピーダンス変換部で変換した前記インピーダンスと前記計時部で計った前記経過時間とに基づいてインピーダンス変化率の経過時間に対する傾きを演算するインピーダンス変化勾配演算手段と、インピーダンス変化率の経過時間に対する傾きと第１の静脈伸展性評価指標との関係データを予め記憶する記憶部と、前記記憶部に予め記憶した前記関係データから前記インピーダンス変化勾配演算手段で演算した前記インピーダンス変化率の経過時間に対する傾きに対応する前記第１の静脈伸展性評価指標を特定する静脈伸展性評価指標判定手段と、前記静脈伸展性評価指標判定手段で特定した前記第１の静脈伸展性評価指標を表示する表示部とを備える静脈伸展性評価指標計測装置。
【請求項１３】  前記押圧状態とは、３０mmHg以上９０mmHg以下の一定圧で押え付けた状態であることを特徴とする請求項１２記載の静脈伸展性評価指標計測装置。
【請求項１４】  前記押圧状態とは、５０mmHgの一定圧で押え付けた状態であることを特徴とする請求項１２記載の静脈伸展性評価指標計測装置。
【請求項１５】  前記所定周波数が１kHz以上５００kHz以下であることを特徴とする請求項１２乃至１４のいずれか１項に記載の静脈伸展性評価指標計測装置。
【請求項１６】  前記所定周波数が４kHzであることを特徴とする請求項１２乃至１４のいずれか１項に記載の静脈伸展性評価指標計測装置。
【請求項１７】  前記身体部位の一部分の静脈の減圧を開始してからの経過時間が３０秒であることを特徴とする請求項１２乃至１６のいずれか１項に記載の静脈伸展性評価指標計測装置。
【請求項１８】  前記第１の静脈伸展性評価指標が静脈年齢又は静脈硬化度のいずれかであることを特徴とする請求項１２乃至１７のいずれか１項に記載の静脈伸展性評価指標計測装置。
【請求項１９】  前記記憶部は、前記第１の静脈伸展性評価指標と第２の静脈伸展性評価指標との関係データを更に予め記憶し、前記静脈伸展性評価指標判定手段は、前記記憶部に更に予め記憶した前記関係データから先に特定した前記第１の静脈伸展性評価指標に対応する前記第２の静脈伸展性評価指標を特定することを特徴とする請求項１２乃至１７のいずれか１項に記載の静脈伸展性評価指標計測装置。
【請求項２０】  前記第１の静脈伸展性評価指標は、静脈年齢又は静脈硬化度のいずれかであり、前記第２の静脈伸展性評価指標は、前記第１の静脈伸展性評価指標が静脈年齢である場合には静脈硬化度、前記第１の静脈伸展性評価指標が静脈硬化度である場合には静脈年齢であることを特徴とする請求項１９記載の静脈伸展性評価指標計測装置。